(57)【要約】【課題】不完全な嵌合状態が防がれた構造を備えたコネクタを提供する。【解決手段】嵌合の際、後方が下位になるコネクタ構造であって、ソケットハウジング１００は、後方に後ロック片１１０Ａと前方に前ロック片１１０Ｂと、下面１０２前方に突き当たり部１２０とを備え、ベースハウジング２００は、後方に後ロック案内２１０Ａと、前方に前ロック案内２１０Ｂと、前壁２０２上面に突き当たり部２２０とを備え、後方から嵌合空間２０５に嵌め込む際、後ロック片１１０Ａが後ロック案内２１０Ａに沿って沈み込み、後ロック片１１０Ａの先端が後ロック案内２１０Ａの下端に達する辺りで、突き当たり部同士が突き当たり、この抵抗に抗してソケットハウジング１００を下方に押圧すると後方に移動し突き当りが解消すると共に、前ロック片１１０Ｂが前ロック案内に沿って下方に移動を開始し、ソケットハウジングがベースハウジング２００に対して水平位置で嵌り合う。【選択図】図２
2014056780.tif 000002
【特許請求の範囲】
【請求項１】
嵌合空間を有するベースハウジングを備えた、配線基板に実装されるベースコネクタと、
前記嵌合空間に嵌合されるソケットハウジングを備えた、電線の端末に接続されるソケットコネクタと、からなり、前記ソケットコネクタを前記ベースコネクタに嵌合する際、前記ソケットハウジングを前記ベースハウジングに対して前記電線接続側である後方が下方位になるように傾斜させる、コネクタ構造であって、
前記ソケットハウジングは、下面前方に突き当たり部を備え、
前記ベースハウジングは、上面前方に突き当たり部を備え、
前記ソケットハウジングを後方側から前記ベースハウジングの前記嵌合空間に嵌め込む際、前記ソケットハウジングの後端が前記嵌合空間の底面に達する辺りで、前記突き当たり部同士が突き当たり、
この突き当りの抵抗に抗して、ソケットハウジングを下方に押圧すると、前記ソケットハウジングはやや後方に移動し、これにより前記突き当りが解消し、前記ソケットハウジングが前記ベースハウジングに対して水平位置で嵌り合う正規嵌合状態に至るところに特徴を有するコネクタ構造。
【請求項２】
前記ソケットハウジングは、その側面の前記電線接続側に後ロック片と、反電線接続側に前ロック片と、下面前方に突き当たり部とを備え、
前記ベースハウジングは、その側面の前記電線接続側に後ロック案内と、反電線接続側に前ロック案内と、上面前方に突き当たり部とを備え、
前記ソケットハウジングの後方側から前記ベースハウジングの前記嵌合空間に嵌め込む際、前記後ロック片が前記後ロック案内に沿って沈み込み、前記後ロック片の先端が前記後ロック案内の下端に達する辺りで、前記突き当たり部同士が突き当たり、
この突き当りの抵抗に抗して、ソケットハウジングを下方に押圧すると、前記ソケットハウジングはやや後方に移動し、これにより前記突き当りが解消し、前記前ロック片が前記前ロック案内に沿って下方に移動を開始し、前記ソケットハウジングが前記ベースハウジングに対して水平位置で嵌り合う正規嵌合状態に至るところに特徴を有する請求項1記載のコネクタ構造。
【請求項３】
前記ソケットハウジングの突き当たり部は前記ソケットハウジングの底面の前端縁に備わり、前記ベースハウジングの突き当たり部は前記ベースハウジングの前壁の上面に備わるところに特徴を有する請求項１又は２記載のコネクタ構造。
【請求項４】
前記後ロック片はその先端から後方に延びる後ロック爪を備え、前記後ロック案内はその下端近辺から後方に窪む後ロック溝を備え、
前記突き当たりのとき、前記後ロック爪が前記後ロック溝に進入を開始する状態にあるところに特徴を有する請求項２又は３記載のコネクタ構造。
【請求項５】
前記後ロック爪はその延びる方向の長さが、それに直交する幅方向の長さに比べて少なくとも２倍程度の大きさを有するところに特徴を有する請求項４記載のコネクタ構造。
【請求項６】
前記前ロック片はその先端から後方に延びる前ロック爪を備え、前記前ロック案内はその下端近辺から後方に窪む前ロック溝を備え、
前記正規嵌合位置で、前記前ロック爪が前記前ロック溝に係合しているところに特徴を有する請求項４又は５記載のコネクタ構造。
【請求項７】
嵌合空間を有するベースハウジングを備えた、配線基板に実装されるベースコネクタと、
前記嵌合空間に嵌合されるソケットハウジングを備えた、電線の端末に接続されるソケットコネクタと、からなり、前記ソケットコネクタを前記ベースコネクタに嵌合する際、前記ソケットハウジングを前記ベースハウジングに対して前記電線接続側が下方位になるように傾斜させる、嵌合初期段階を有するコネクタの嵌合方法であって、
前記嵌合初期段階の後、前記ソケットハウジングと、前記ベースハウジングとが反電線接続側で突き当たる嵌合中期段階、および、この嵌合中期段階の後、前記ソケットハウジングと、前記ベースハウジングとが正規嵌合位置で嵌り合う嵌合後期段階を有するところに特徴のあるコネクタの嵌合方法。
【発明の詳細な説明】
【技術分野】
【０００１】
本発明は、不完全な嵌合状態の発生を防ぐ構造を備えたコネクタ構造に関するものである。
【背景技術】
【０００２】
配線基板に実装されたコネクタ（以下ベースコネクタと言う）と、電線の端末に装着されたコネクタ（以下ソケットコネクタと言う）との嵌合において、双方コネクタの嵌合を完全におこない、不完全な嵌合状態の発生を防ぐ技術として、たとえば特許文献１記載の技術が知られている。この技術によれば、ベースコネクタの内部に備わる嵌合空間の上面に開口部が備わり、この開口部からソケットコネクタが嵌合される。このようにソケットコネクタはベースコネクタに対して上方から装着される仕組みを備える。
【０００３】
装着手順は、（１）電線が延出されるソケットハウジング後方がやや下に向かうように傾きをもって、ベースコネクタの上面の開口部にソケットコネクタの後端部を沈めていく。（２）ソケットハウジングの側面の後端にはロック片が備わるので、このロック片をベースハウジングのロック案内に沿わせて沈めていく。（３）ロック片を沈めていくとロック片の先端がロック案内の底面に当たる。沈み方向への突き当たりに達するとロック片の先端から横向きに張り出すロック爪が、ロック案内の底面近くから横向に窪むロック溝に嵌り込み後方にずれるように移動する。（４）後方への移動が完了すると、ソケットハウジングと、ベースハウジングとがハウジング後方でロックされる。このとき、前方がやや上向きに傾いていたソケットハウジングは水平姿勢になり、ベースハウジングの嵌合空間に完全に収容される。（５）このように姿勢が制御されるときに、ソケットハウジングの前面に備わるロックアームがベースハウジングの前壁に備わるロック溝に係合し、双方ハウジングが前方でもロックされる。
【０００４】
このように、ソケットハウジングとベースハウジングとは、前側のロック機構、及び後側のロック機構の両ロック機構でロックされる構造である。これにより、双方コネクタ間が確実に固定されるので、不完全な嵌合状態の発生は防がれる。
【先行技術文献】
【特許文献】
【０００５】
【特許文献１】特開２０１０−２７５３２号公報
【発明の概要】
【発明が解決しようとする課題】
【０００６】
しかしながら、この構造によれば、ソケットハウジングの前面にシーソータイプのロックアームが備わるので、双方ハウジングの高さ方向の寸法が嵩高くなる傾向にある。基板実装タイプのコネクタは潜在的に低背化の要求が高く、高さ寸法が嵩高くなる構造は、この要求に応えるのが困難である。
【０００７】
また、この構造によるコネクタは斜め嵌合方式をとるので、嵌合の際、下端に位置するソケットハウジングの後端縁が干渉する。そのためにベースハウジングの底壁の後端部にその部分を逃がすための開口部が設けられている。これにより、ソケットハウジングがベースハウジングに嵌合され、電線が基板下方向に引き回されるときにソケットハウジングがベースハウジング内でガタツク原因となる。
【０００８】
本発明は、このような問題に鑑みてなされたものであり、次に掲げる目的のうち少なく
ともそのひとつを目的とする。（１）配線基板に実装されたベースコネクタと電線の端末に装着されたソケットコネクタとの嵌合の際、不完全な嵌合状態が防がれた構造を備えたコネクタ構造を提供すること。（２）嵩高くならない態様で上記（１）の目的を達成するコネクタ構造を提供すること。（３）嵌合時ソケットハウジングがガタツクことのない態様で上記（２）の目的を達成するコネクタ構造を提供すること。
【課題を解決するための手段】
【０００９】
本発明のコネクタ構造は、（１）嵌合空間を有するベースハウジングを備えた、配線基板に実装されるベースコネクタと、前記嵌合空間に嵌合されるソケットハウジングを備えた、電線の端末に接続されるソケットコネクタと、からなり、前記ソケットコネクタを前記ベースコネクタに嵌合する際、前記ソケットハウジングを前記ベースハウジングに対して前記電線接続側である後方が下方位になるように傾斜させる、コネクタ構造であって、前記ソケットハウジングは、下面前方に突き当たり部を備え、前記ベースハウジングは、上面前方に突き当たり部を備え、前記ソケットハウジングを後方側から前記ベースハウジングの前記嵌合空間に嵌め込む際、前記ソケットハウジングの後端が前記嵌合空間の底面に達する辺りで、前記突き当たり部同士が突き当たり、この突き当りの抵抗に抗して、ソケットハウジングを下方に押圧すると、前記ソケットハウジングはやや後方に移動し、これにより前記突き当りが解消し、前記ソケットハウジングが前記ベースハウジングに対して水平位置で嵌り合う正規嵌合状態に至るところに特徴を有するものである。
【００１０】
この発明によれば、ソケットハウジングはベースハウジングに傾きを持って後方から嵌め込まれ、後方が深部に達したところで前方の突き当たり部同士が突き当たる。この突き当たりに抗して押圧すると正規嵌合状態に達する。このように嵌合過程で一旦力の溜め位置が備わるところが特徴である。これにより、この力の溜め位置から正規嵌合位置までの間は、ソケットハウジングをベースハウジングに押し進める力が自然に一気に発揮されることとなる。その結果、不完全な嵌合状態が防がれ正規嵌合状態で嵌り合うコネクタ構造が得られる。
【００１１】
本発明のコネクタ構造は、（２）前記ソケットハウジングは、その側面の前記電線接続側に後ロック片と、反電線接続側に前ロック片と、下面前方に突き当たり部とを備え、前記ベースハウジングは、その側面の前記電線接続側に後ロック案内と、反電線接続側に前ロック案内と、上面前方に突き当たり部とを備え、前記ソケットハウジングの後方側から前記ベースハウジングの前記嵌合空間に嵌め込む際、前記後ロック片が前記後ロック案内に沿って沈み込み、前記後ロック片の先端が前記後ロック案内の下端に達する辺りで、前記突き当たり部同士が突き当たり、この突き当りの抵抗に抗して、ソケットハウジングを下方に押圧すると、前記ソケットハウジングはやや後方に移動し、これにより前記突き当りが解消し、前記前ロック片が前記前ロック案内に沿って下方に移動を開始し、前記ソケットハウジングが前記ベースハウジングに対して水平位置で嵌り合う正規嵌合状態に至るところに特徴を有する（１）記載のものである。
【００１２】
この発明によれば、ソケットハウジングはベースハウジングに傾きを持って後方から嵌め込まれ、後方が深部に達したところで前方の突き当たり部同士が突き当たる。この突き当たりに抗して押圧すると正規嵌合状態に達する。このように嵌合過程で一旦力の溜め位置が備わるところが特徴である。これにより、この力の溜め位置から正規嵌合位置までの間は、ソケットハウジングをベースハウジングに押し進める力が自然に一気に発揮されることとなる。その結果、不完全な嵌合状態が防がれ正規嵌合状態で嵌り合うコネクタ構造が得られる。
【００１３】
さらに、この発明によれば、後方のロック構造だけでなく、前方のロック構造もハウジング側壁に備わり、シーソー構造のロックアーム式のようにその機能を発揮するためのス
ペースも多くを必要としない。これにより、嵩高くならない態様で不完全な嵌合状態が防がれ正規嵌合状態で嵌り合うコネクタ構造が得られる。
【００１４】
また、この発明によれば、ロック片はハウジング側壁に備わるので、ロック片の先端に鉤状に備わるロック爪に係わる形状、大きさ等の制約も少なく、ロック爪の設計の自由度が高まる。これにより、ソケットハウジングがベースハウジングの底壁に形成された逃がし窓（開口部）によって生じるガタツキが抑制されるコネクタ構造が得られる。
【００１５】
好ましくは、本発明のコネクタ構造は、（３）前記ソケットハウジングの突き当たり部は前記ソケットハウジングの底面の前端縁に備わり、前記ベースハウジングの突き当たり部は前記ベースハウジングの前壁の上面に備わるところに特徴を有する（１）又は（２）記載のものである。
【００１６】
この発明によれば、突き当たり部は、ソケットハウジングおよびベースハウジングのそれぞれ前方に備わる。これにより、後方から嵌り合った双方ハウジングは、ソケットハウジングの厚み相当分だけ前方が浮いた状態で突き当たり部で当接する。すなわち、正規嵌合状態まで後一動作のところで一旦力の溜めがなされる。これにより、力は一気に押圧方向にかけられるので、不完全な嵌合状態が防がれ正規嵌合状態で嵌り合うコネクタ構造が得られる。
【００１７】
突き当たり部は、嵌合過程の一時の取るべき状態のために必要なものであって、ソケットハウジングの後方への移動によって、突き当たり状態は解消されるものである。このように突き当たり状態は恒常的な状態ではなく、一時の仮の係合状態である。
突き当たり部は、ハウジングの一部に形成された構造であってよく、たとえば、ソケットハウジングの底面の前端縁に台座状のものが備わる態様であってよく、ベースハウジングの前壁の上端に台座状のものが備わる態様であってよい。
【００１８】
好ましくは、本発明のコネクタ構造は、（４）前記後ロック片はその先端から後方に延びる後ロック爪を備え、前記後ロック案内はその下端近辺から後方に窪む後ロック溝を備え、前記突き当たりのとき、前記後ロック爪が前記後ロック溝に進入を開始する状態にあるところに特徴を有する（２）又は（３）記載のものである。
【００１９】
この発明によれば、後ロック爪が後ロック溝に係合する態様でロック機構が作動する。このロックが係る段階で後ロック爪が後ロック溝に進入する。このときの動きをソケットコネクタ側から見ると、ソケットハウジングは後方に移動し、前方で接していた突き当て部同士は干渉（突き当たり状態）が解消され、ソケットハウジングの前方もベースハウジングの嵌合空間に沈み込む。このように一旦力を溜める動作を含む一連の嵌合動作がスムーズに行なわれるので、不完全な嵌合状態が防がれ正規嵌合状態で嵌り合うコネクタ構造が得られる。
【００２０】
また、この発明によれば、後ロック爪の底面と後ロック溝の底面とが接するので、嵌合時ソケットハウジングがガタツクことのない態様で、不完全な嵌合状態が防がれ正規嵌合状態で嵌り合うコネクタ構造が得られる。
【００２１】
好ましくは、本発明のコネクタ構造は、（５）前記後ロック爪はその延びる方向の長さが、それに直交する幅方向の長さに比べて少なくとも２倍程度の大きさを有するところに特徴を有する（４）記載のものである。
【００２２】
この発明によれば、後ロック爪は幅に比べて２倍程度の長さを備えている。これにより、一層、嵌合時ソケットハウジングがガタツクことのない態様で、不完全な嵌合状態が防
がれ正規嵌合状態で嵌り合うコネクタ構造が得られる。
【００２３】
好ましくは、本発明のコネクタ構造は、（６）前記前ロック片はその先端から後方に延びる前ロック爪を備え、前記前ロック案内はその下端近辺から後方に窪む前ロック溝を備え、前記正規嵌合位置で、前記前ロック爪が前記前ロック溝に係合しているところに特徴を有する（４）又は（５）記載のものである。
【００２４】
この発明によれば、前ロック片も前ロック爪を備え、前ロック案内も前ロック溝を備える。これにより、前ロック爪が前ロック溝に係るので、ソケットハウジング前方のロックも作動する。これにより、嵌合時ソケットハウジングがガタツクことのない態様で、不完全な嵌合状態が防がれ正規嵌合状態で嵌り合うコネクタ構造が得られる。
【００２５】
本発明のコネクタの嵌合方法は、（７）嵌合空間を有するベースハウジングを備えた、配線基板に実装されるベースコネクタと、前記嵌合空間に嵌合されるソケットハウジングを備えた、電線の端末に接続されるソケットコネクタと、からなり、前記ソケットコネクタを前記ベースコネクタに嵌合する際、前記ソケットハウジングを前記ベースハウジングに対して前記電線接続側が下方位になるように傾斜させる、嵌合初期段階を有するコネクタの嵌合方法であって、前記嵌合初期段階の後、前記ソケットハウジングと、前記ベースハウジングとが反電線接続側で突き当たる嵌合中期段階、および、この嵌合中期段階の後、前記ソケットハウジングと、前記ベースハウジングとが正規嵌合位置で嵌り合う嵌合後期段階を有するところに特徴のある方法である。
【００２６】
この発明によれば、ソケットコネクタとベースコネクタとの嵌合は、嵌合初期段階、ソケットハウジングと、ベースハウジングとが反電線接続側で突き当たる嵌合中期段階、およびソケットハウジングと、ベースハウジングとが正規嵌合位置で嵌り合う嵌合後期段階を含む。これにより、不完全な嵌合状態が防がれ正規嵌合状態で嵌り合うコネクタ構造が得られる。
【図面の簡単な説明】
【００２７】
【図１】図１は本発明の実施形態に係るソケットコネクタとベースコネクタとの嵌合初期の様子を示す斜視図である。
【図２】図２は同コネクタの嵌合前の状態を示す斜視図である。
【図３】図３は同ソケットコネクタの外観斜視図である。
【図４】図４は同ソケットコネクタの４面図であって、（Ａ）は平面図、（Ｂ）は正面図、（Ｃ）は底面図、（Ｄ）は側面図である。
【図５】図５は同ベースコネクタの外観斜視図であって、（Ａ）は前方側、（Ｂ）は後方側である。
【図６】図６は同ベースコネクタの４面図であって、（Ａ）は平面図、（Ｂ）は正面図、（Ｃ）は底面図、（Ｄ）は側面図である。
【図７】図７は同ソケットコネクタとベースコネクタとの嵌合過程を示す側面図であって、（Ａ）は嵌合前、（Ｂ）は嵌合始まり、（Ｃ）は嵌合途中、（Ｄ）は嵌合完了である。
【図８】図８は図７において後ロック状態を示す要部図であって、（Ａ）は嵌合前、（Ｂ）は嵌合始まり、（Ｃ）は嵌合途中、（Ｄ）は嵌合完了である。
【図９】図９は図７において前ロック状態を示す要部図であって、（Ａ）は嵌合前、（Ｂ）は嵌合始まり、（Ｃ）は嵌合途中、（Ｄ）は嵌合完了である。
【図１０】図１０は本発明の実施形態に係るコネクタが基板に実装された状態を示す外観斜視図である。
【発明を実施するための形態】
【００２８】
本発明の実施形態を添付図面に基づいて説明するが、本発明の技術的範囲は、これらの
実施形態によって限定されるものではなく、発明の要旨を逸脱しない範囲で実施することができる。図１は本発明の実施形態に係るソケットコネクタとベースコネクタとの嵌合初期の様子を示す斜視図である。図２は同コネクタの嵌合前の状態を示す斜視図である。図３は同ソケットコネクタの外観斜視図である。図４は同ソケットコネクタの４面図であって、（Ａ）は平面図、（Ｂ）は正面図、（Ｃ）は底面図、（Ｄ）は側面図である。図５は同ベースコネクタの外観斜視図であって、（Ａ）は前方側、（Ｂ）は後方側である。図６は同ベースコネクタの４面図であって、（Ａ）は平面図、（Ｂ）は正面図、（Ｃ）は底面図、（Ｄ）は側面図である。なお、説明中の指示方向は、断りのない限り図面中で定義する方向指示に従う。
【００２９】
〈コネクタ構造の概要〉
本実施形態に係るコネクタ構造は、図１、図２に示されるように、嵌合空間２０５を有するベースハウジング２００を備えたベースコネクタ２０と、嵌合空間２０５に嵌合されるソケットハウジング１００を備えたソケットコネクタ１０とからなる。ソケットコネクタ１０をベースコネクタ２０に嵌合する際、ソケットハウジング１００をベースハウジング２００に対して後方が下方位になるように傾斜させる嵌合初期段階と、ソケットハウジング１００と、ベースハウジング２００とが前方で突き当たる嵌合中期段階と、この嵌合中期段階の後、ソケットハウジング１００と、ベースハウジング２００とが正規嵌合位置で嵌り合う嵌合後期段階とを有する。
【００３０】
〈ソケットハウジング〉
ソケットハウジングは１００、図３、図４に示されるように、合成樹脂からなる扁平箱体の射出成形品である。ソケットハウジング１００は、その箱体を上面１０１、下面１０２、前面１０３、後面１０４、および左右側面１０５、１０６で画成する。上面１０１、下面１０２は平坦な板面で、下面１０２前半分には、コンタクトの接続のためにスリット１３０が備わる。スリット１３０は、板状のベースコンタクト２９９が通過するために必要な幅を備え、２本が平行に備わる。このスリット１３０の延長線上付近で下面１０２の前端縁に、突き当たり部１２０が備わる。突き当たり部１２０は、ソケットハウジング１００の下面１０２と前面１０３との角部に位置する。
【００３１】
突き当たり部１２０は、嵌合の際、ベースハウジング２００側の突き当たり部１２０と一時当接するところである。嵌合動作は一旦この突き当たり部１２０で中断され、動作が再開されると、一気に正規嵌合位置までソケットハウジング１００は、ベースハウジング２００に収まる。突き当たり部１２０は、押圧力を一旦溜める機能を有し、突き当たり部１２０の干渉（突き当たり状態）が解消されたときに、一気に自然に発揮される。このときの勢いによってソケットハウジング１００は、ベースハウジング２００に正規嵌合位置まで押し込まれる。このために、突き当たり部１２０は、ソケットハウジング１００の下面１０２の角部に位置する。
【００３２】
ソケットハウジング１００の左右側面１０５、１０６には、図３、図４に示されるように、後ロック片１１０Ａ、前ロック片１１０Ｂが備わる。後ロック片１１０Ａ、および前ロック片１１０Ｂ共にソケットハウジング１００と、ベースハウジング２００とを正規嵌合状態に固定するものである。後ロック片１１０Ａは、周囲の壁面に比べてやや張り出した構造で、側面１０５、１０６の後方に厚み方向（上下方向）に延びるように備わる。後ロック片１１０Ａの下端は後方に延びる後ロック爪１１０Ａ１を備える。後ロック爪１１０Ａ１は、幅寸法に対しておおよそ２倍の寸法を持って長手方向（前後方向）に延びている。このような長い後ロック爪１１０Ａ１を備えることによって、固定状態を確実にすると共に、正規嵌合状態でのソケットハウジング１００のガタツキが抑制される。
【００３３】
前ロック片１１０Ｂは、図３、図４に示されるように、周囲の壁面に比べてやや張り出
した構造であって、後ロック片１１０Ａに比べても張り出し量は大きい。前ロック片１１０Ｂは、側面１０５、１０６の前方に厚み方向（上下方向）に延びるように備わる。前ロック片１１０Ｂの下端は後方に延びる前ロック爪１１０Ｂ１を備える。前ロック爪１１０Ｂ１の延び量は後ロック爪に比べてそれほど大きくはない。
【００３４】
ソケットハウジング１００は、図３、図４に示されるように、後面１０４に電線Ｗの接続用の開口部１３２を備える。開口部１３２は、並列に２個が備わる。ソケットハウジング１００の前面１０３には後面１０４の延長線上にフード１３１が備わる。フード１３１は、嵌合の際、押圧代として用いてもよいし、嵌合状態にあるソケットハウジング１００をベースハウジング２００から取り出す際に、把持するところとして用いてもよい。
【００３５】
〈ベースハウジング〉
ベースハウジング２００は、図５、図６に示されるように、上方が開口した箱体の合成樹脂からなる射出成形品である。ベースハウジング２００は、板状の底壁２０１、この底壁２０１の前端に前壁２０２、および底壁２０１の左右側端に左側壁２０３、右側壁２０４を備える。底壁２０１は平坦な板状で、後方に矩形状の逃がし窓２３０が備わる。逃がし窓２３０は、嵌合の際、傾けて装着されるソケットハウジング１００の後端がベースハウジング２００の底壁２０１と干渉することがないように、その部分に設けられた干渉を避けるための穴である。底壁２０１の前半分の位置に側面視矩形状の板状のベースコンタクト２９９が２枚併設されている。
【００３６】
前壁２０２は、図５、図６に示されるように、同程度の高さ（上下方向）と幅（前後方向）とを備えたものである。前壁２０２の下面には、前後方向に延びるスリット２０１Ａが２個併設されている。スリット２０１Ａは、板状のベースコンタクト２９９を固定するものである。ここで固定されたベースコンタクト２９９は、板状矩形の接続部２９９Ａを底壁２０１上面に延出させるとともに、実装部２９９Ｂを底壁２０１下面に露出させる。
【００３７】
前壁２０２は、図５、図６に示されるように、上面に突き当たり部２２０を備える。突き当たり部２２０は、嵌合の際、ソケットハウジング１００側の突き当たり部１２０と一時当接するところである。嵌合動作の動きは、一旦この突き当り部で中断されるけれども、押圧力は継続して下方に向けられているので、動きが再開されると、一気に正規嵌合位置までソケットハウジング１００は、ベースハウジング２００に収まる。突き当たり部２２０は、押圧力を一旦溜める機能を有し、突き当たり部２２０の干渉（突き当たり状態）が解消されたときに、一気に自然に発揮される。このときの勢いによってソケットハウジング１００は、ベースハウジング２００に正規嵌合位置まで一気に押し込まれる。
【００３８】
突き当たり部２２０は、図５、図６に示されるように、周囲の壁面に比べてやや張り出した、平面視矩形の台座である。突き当たり部２２０は、ソケットハウジング１００に備わる突き当たり部１２０と対応する位置に２個が並置されている。
【００３９】
側壁２０３、２０４は、図５、図６に示されるように、幅（左右方向）と厚み（前後方向）を備えた構造体である。側壁２０３、２０４は、内側に主要な構造を備える。側壁２０３、２０４の後方には、周囲の壁面に比べてやや張り出した後ロック案内２１０Ａを備える。後ロック案内２１０Ａは、嵌合の際、ソケットハウジング１００の後ロック片１１０Ａを案内するものである。後ロック案内２１０Ａは、間口にテーパ面を有する、上下方向に延びる構造体である。後ロック案内２１０Ａは、下端に後方向に延びる後ロック溝２１０Ａ１を備える。後ロック溝２１０Ａ１は、側壁２０３，２０４の後端面まで延びている。後ロック溝２１０Ａ１は、下面は、底壁２０１の一部で受けられるように構成されている。
【００４０】
このように後ロック溝２１０Ａ１は長手方向に長く延びている。これにより、長く延びるソケットハウジング１００の後ロック爪１１０Ａ１と係合可能である。このように係合部が長いので、固定が確実に行なわれると共に、後ロック爪１１０Ａ１の下面と、後ロック溝２１０Ａ１の下面とが広範囲で接することができる。これにより、嵌合されたソケットハウジング１００のガタツキが高いレベルで抑制される。
【００４１】
側壁２０３、２０４の前方には、図５、図６に示されるように、周囲の壁面に比べてやや張り出した前ロック案内２１０Ｂを備える。前ロック案内２１０Ｂは、嵌合の際、ソケットハウジング１００の前ロック片１１０Ｂを案内するものである。前ロック案内２１０Ｂは、間口に、後ロック案内２１０Ａに比べると小さいが、テーパ面を有する、上下方向に延びる構造体である。前ロック案内２１０Ｂは、下端に後方向に延びる前ロック溝２１０Ｂ１を備える。前ロック溝２１０Ｂ１の延び量は、後ロック溝２１０Ａ１の延び量に比べると少ない。前ロック溝２１０Ｂ１は、嵌合の際、ソケットハウジング１００の前ロック爪１１０Ｂ１と係合し、固定を確実にする。
【００４２】
ベースハウジング２００は、底壁２０１、前壁２０２、および左右側壁２０３、２０４で画成された嵌合空間２０５を備える。嵌合空間２０５にソケットハウジング１００が収容される。
【００４３】
〈嵌合動作〉
ソケットコネクタ１０と、ベースコネクタ２０との嵌合動作について、図面に基づいて説明する。図７は同ソケットコネクタとベースコネクタとの嵌合過程を示す側面図であって、（Ａ）は嵌合前、（Ｂ）は嵌合始まり、（Ｃ）は嵌合途中、（Ｄ）は嵌合完了である。図８は図７において後ロック状態を示す要部図であって、（Ａ）は嵌合前、（Ｂ）は嵌合始まり、（Ｃ）は嵌合途中、（Ｄ）は嵌合完了である。図９は図７において前ロック状態を示す要部図であって、（Ａ）は嵌合前、（Ｂ）は嵌合始まり、（Ｃ）は嵌合途中、（Ｄ）は嵌合完了である。
【００４４】
ソケットコネクタ１０をベースコネクタ２０に嵌合する際、ソケットハウジング１００をベースハウジング２００に対して後方が下方位になるように傾斜させる、嵌合初期段階を有するコネクタの嵌合方法であって、嵌合初期段階の後、ソケットハウジング１００と、ベースハウジング２００とが前方で突き当たる嵌合中期段階、および、この嵌合中期段階の後、ソケットハウジング１００と、ベースハウジング２００とが正規嵌合位置で嵌り合う嵌合後期段階を有する。
【００４５】
ソケットハウジング１００は、図７〜図９に示されるように、ベースハウジング２００に対して、後方が下位になる、傾いた姿勢で装着される。嵌合は、ソケットハウジング１００の後ロック片１１０Ａと、ベースハウジング２００の後ロック案内２１０Ａとの係合で始まる（嵌合初期段階の始まり）。ソケットハウジング１００の後方を下げた姿勢でベースハウジング２００側に近づけると、後ロック爪１１０Ａ１の先端が後ロック案内２１０Ａに係る。後ロック案内２１０Ａに後ロック爪１１０Ａ１が接触した姿勢でソケットハウジング１００を降下させていくと、後ロック爪１１０Ａ１の先端が後ロック案内２１０Ａから外れ、下端で、後ロック溝２１０Ａ１の下面に接する。このとき、ソケットハウジング１００は、傾いた姿勢のままで、その前方は、下面１０２角部に備わる突き当たり部１２０が、ベースハウジング２００の前壁２０２上面に備わる突き当たり部２２０に当接する（嵌合中期段階）。
【００４６】
この嵌合中期段階で、ソケットハウジング１００は、図７〜図９の各図（Ｂ）に示されるように、前方がその厚み相当分ベースハウジング２００から上方に浮いた状態である。この段階で、嵌合動作の動きは一時中断されるが、その間も押圧力は継続して下方向に加
えられていて、いわゆるこの位置は力の溜め位置である。この段階で、押圧力の一部は、ソケットハウジング１００をベースハウジング２００に対して、後方に寄せる方向に作用する。この作用方向に沿って、後ロック爪１１０Ａ１は、図７〜図９の各図（Ｃ）に示されるように、後ロック溝２１０Ａ１に嵌る方向（後方）に移動する。このソケットハウジング１００全体のベースハウジング２００に対する後方への移動によって、ソケットハウジング１００の前方で生じていた突き当たり部１２０、２２０同士の干渉（突き当たり状態）は、解消されることとなる。これにより、ソケットハウジング１００は、若干浮いていたその前方を沈めるようにしながらベースハウジング２００の嵌合空間２０５に収容されていく（嵌合後期段階）
【００４７】
この嵌合後期段階で、ソケットハウジング１００は、図７〜図９の各図（Ｃ）に示されるように、後ロック爪１１０Ａ１が後ロック溝２１０Ａ１に嵌り込むと共に、前ロック片１１０Ｂが前ロック案内２１０Ｂに沿って下方に進む。この間にソケットハウジング１００は、前方が浮いていた姿勢が正され水平姿勢に近づく。前ロック片１１０Ｂの先端が前ロック案内２１０Ｂの底面まで近づくと、前ロック爪１１０Ｂ１が前ロック溝２１０Ｂ１に嵌り込む。この前ロック爪１１０Ｂ１の係合の前段階に前ロック案内２１０Ｂに若干設けられた凸部を通過する。このように、前ロック溝２１０Ｂ１の上に凸部が備わるので、前ロック爪１１０Ｂ１の抜けが高いレベルで抑制され、その固定は確実に行なわれることとなる。
【００４８】
このようにして、ソケットハウジング１００がベースハウジング２００に対して正規嵌合位置まで装着されると、図７〜図９の各図（Ｄ）に示されるように、前ロック爪１１０Ｂ１が前ロック溝２１０Ｂ１に係合する。このとき、後ロック爪１１０Ａ１もその先端を後ロック溝２１０Ａ１の最深部まで進入させている。これにより、ソケットハウジング１００は、ベースハウジング２００に対して、正規嵌合位置で合わさり、その姿勢が後ロック機構（後ロック片１１０Ａ、後ロック案内２１０Ａで構成されるロック機構）、前ロック機構（前ロック片１１０Ｂ、前ロック案内２１０Ｂで構成されるロック機構）によって固く固定される構造である。
【００４９】
この嵌合中期段階から、嵌合後期段階までの姿勢の変化は一気に行なわれるので、正規嵌合姿勢が自然ととられることとなる。すなわち、突き当たり部１２０、２２０で中断された嵌合動作の最中も押圧力は継続して加えられていて、その場で力は溜められている状態である。そのような状態で、突き当たり部１２０、２２０での干渉（突き当たり状態）が解消されたとき、押圧力は、一気にソケットハウジング１００をベースハウジング２００に嵌め込む方向に作用し、その作用力はソケットハウジング１００を正規嵌合位置に嵌め込むまで継続する。その結果、不完全な嵌合状態で嵌合作業が終了することがなく、常に、正規嵌合状態の位置で嵌合作業が終了することとなる。
【００５０】
〈実施例〉
図１０は本実施形態に係るコネクタ構造が配線基板に組み付けられた状態である。配線基板Ｐ上には、たとえば、発光素子ＬＥＤが実装されていて、これの照射の妨げにならないように低背型の本実施形態に係るコネクタ構造１０、２０が配線基板Ｐのエッジに組み付けられている。
【００５１】
〈効果〉本実施形態では、以下に示す効果を得ることができる。
・本実施形態に係るコネクタ構造は、ベースハウジングに対してソケットハウジングがその後方を沈めた姿勢で装着される。これにより、嵌合作業の位置合わせが容易に正確におこなうことができる。
・本実施形態に係るコネクタ構造は、ソケットハウジング１００の突き当たり部１２０と、ベースハウジング２００の突き当たり部２２０との当接による力の溜め段階（嵌合中期
段階）が備わる。これにより、これ以降の嵌合動作が一気に行なわれるので、不完全な嵌合状態が防がれ正規嵌合状態で嵌め合うことができる。
【００５２】
・本実施形態に係るコネクタ構造は、後ロック機構、前ロック機構ともに、ソケットハウジング１００、およびベースハウジング２００の側面に備わる。これにより、たとえば、構造が複雑なロック機構をハウジング前面に備える必要がなくなる。その結果、コネクタ構造の低背化が可能になる。
・本実施形態に係るコネクタ構造は、後ロック爪１１０Ａ１の延びる長さを長くとることができる。これにより、後ロック片１１０Ａの固定が確実に行なわれるとともに、嵌合の際、後ロック爪１１０Ａ１の下面と、後ロック溝２１０Ａ１の下面とが広範囲に亘り接することができる。これにより、嵌合時、ソケットハウジング１００がベースハウジング２００の中でガタツクことが抑制される。
【００５３】
・本実施形態に係るコネクタ構造は、ハウジング１００、２００の後方に後ロック機構を備えるほかに、ハウジング１００、２００の前方に前ロック機構を備える。これにより、バランスよくソケットハウジング１００をベースハウジング２００に固定することができる。
・本実施形態に係るコネクタ構造は、前ロック片１１０Ｂが前ロック爪１１０Ｂ１を備え、前ロック案内２１０Ｂが前ロック溝２１０Ｂ１を備える。これにより、前ロック爪１１０Ｂ１が前ロック溝２１０Ｂ１に、嵌合の際、係合するので、確実な固定が得られる。
・本実施形態に係るコネクタ構造は、ソケットハウジング１００の上面１０１前方にフード１３１が備わる。これにより、この部分を押圧代にしてソケットハウジング１００をベースハウジング２００に装着することができ、さらに、この部分を把持してソケットハウジング１００をベースハウジング２００から取り出すことができる。
【符号の説明】
【００５４】
１０      ソケットコネクタ
１００    ソケットハウジング
１０１    上面
１０２    下面
１０３    前面
１０４    後面
１０５    左側面
１０６    右側面
１１０Ａ    後ロック片
１１０Ａ１    後ロック爪
１１０Ｂ    前ロック片
１１０Ｂ１    前ロック爪
１２０    突き当たり部
１３０    スリット
１３１    フード
１３２    開口部
１９９    ソケットコンタクト
２０      ベースコネクタ
２００    ベースハウジング
２０１    底壁
２０２    前壁
２０３    左側壁
２０４    右側壁
２１０Ａ    後ロック案内
２１０Ａ１    後ロック溝
２１０Ｂ    前ロック案内
２１０Ｂ１    前ロック溝
２２０      突き当たり部
２３０      逃がし窓
２９９      ベースコンタクト
Ｗ          電線
Ｐ          配線基板
【図１】
2014056780.tif 000003
【図２】
2014056780.tif 000004
【図３】
2014056780.tif 000005
【図４】
2014056780.tif 000006
【図５】
2014056780.tif 000007
【図６】
2014056780.tif 000008
【図７】
2014056780.tif 000009
【図８】
2014056780.tif 000010
【図９】
2014056780.tif 000011
【図１０】
2014056780.tif 000012